(57)【要約】【課題】空気流の生じる搬送管を防火壁を貫通させて設けても防火上支障のない建造物を提供する。【解決手段】搬送管２０内を空気流によって紙葉類を搬送する紙葉類搬送装置１８とスプリンクラーを備え、かつ隣接する部屋の境界部に防火壁３６を有する建造物１０であって、搬送管２０が防火壁３６を貫通して設けられ、搬送管２０の防火壁３６を貫通する部位の搬送管部２７ａが、搬送管部２７ａの上流側および下流側の搬送管部よりも低位に設けられ、火災が発生し、スプリンクラーが作動した際、該スプリンクラーからの水を搬送管２０に導入して、低位の搬送管部２７ａに水を満たして該低位の搬送管部２７ａを閉塞する水導入部が設置されていることを特徴とする。【選択図】図５
2016223104.tif 000002
【特許請求の範囲】
【請求項１】
搬送管内を空気流によって紙葉類を搬送する紙葉類搬送装置とスプリンクラーを備え、かつ隣接する部屋の境界部に防火壁を有する建造物であって、
前記搬送管が前記防火壁を貫通して設けられ、
前記搬送管の前記防火壁を貫通する部位の搬送管部が、該搬送管部の上流側および下流側の搬送管部よりも低位に設けられ、
火災が発生し、前記スプリンクラーが作動した際、該スプリンクラーからの水を前記搬送管に導入して、前記低位の搬送管部に水を満たして該低位の搬送管部を閉塞する水導入部が設置されていることを特徴とする紙葉類搬送装置を備える建造物。
【請求項２】
前記水導入部が、前記防火壁を挟む両側に設置され、それぞれの水導入部から前記搬送管に前記スプリンクラーからの水を導入可能に設けられていることを特徴とする請求項１記載の紙葉類搬送装置を備える建造物。
【請求項３】
前記水導入部が前記スプリンクラーからの水を受ける受け容器を有することを特徴とする請求項１または２記載の紙葉類搬送装置を備える建造物。
【請求項４】
前記防火壁を貫通する前記搬送管が複数設けられ、
前記水導入部が、前記受け容器にパイプを介して接続すると共に、前記複数の搬送管の各前記低位の搬送管部にそれぞれパイプを介して接続する横連絡管を有することを特徴とする請求項３記載の紙葉類搬送装置を備える建造物。
【請求項５】
建造物がパチンコ店その他の遊戯施設であることを特徴とする請求項１〜４いずれか１項記載の紙葉類搬送装置を備える建造物。
【請求項６】
複数の遊戯台が列設された島が複数設けられ、各島に複数の紙幣投入機が設けられ、該紙幣投入機から投入された紙幣を各島ごとに設けられた前記搬送管を通じて、前記遊戯台が設けられた部屋とは異なる金庫室まで搬送して金庫に回収するようにしたことを特徴とする請求項５記載の紙葉類搬送装置を備える建造物。
【請求項７】
前記搬送管は、前記各島に設けられた島搬送管と、該島搬送管から上方に延びる上昇管と、該上昇管に接続され、部屋の天井裏を伸びる天井管と、該天井管から前記金庫に導く導入管とを具備し、前記天井管が前記防火壁を貫通していることを特徴とする請求項５または６記載の紙葉類搬送装置を備える建造物。
【請求項８】
前記上昇管の下部に、該上昇管内に空気を送り込むブースター装置が接続されていることを特徴とする請求項７記載の紙葉類搬送装置を備える建造物。
【発明の詳細な説明】
【技術分野】
【０００１】
本発明は紙幣等の紙葉類を空気流で搬送する紙葉類搬送装置を備えた建造物に関する。
【背景技術】
【０００２】
パチンコ店等の遊技場では、玉貸し機やメダル貸し機を備え、遊技者が紙幣を投入すると、一定数のパチンコ玉やメダルを借りられるようになっている。特許文献１〜３等においては、投入された紙幣を、搬送管内を空気流で搬送し、所要箇所に設けた金庫等の回収装置に回収するようにしている。
【先行技術文献】
【特許文献】
【０００３】
【特許文献１】特許第４１３０６９７号公報
【特許文献２】特開２０１０−３７１０２号公報
【特許文献３】特開２０１１−１４０３９７号公報
【発明の概要】
【発明が解決しようとする課題】
【０００４】
ところで、パチンコ店等の遊技場では、消防法により、店内が一定の面積を超えると、防火壁によって仕切ることが要請されている。
この場合に、搬送管によって、紙幣を遠方にまで搬送するには、搬送管を、防火壁を貫通させて設置する必要が出てくる。
しかしながら、搬送管内は、空気流が生じているのであるから、搬送管を、防火壁を貫通させて設けたのでは、防火壁の用をなさないという課題がある。
【０００５】
そこで、本発明は上記課題を解決すべくなされたもので、その目的とするところは、空気流の生じる搬送管を、防火壁を貫通させて設けても防火上支障のない、紙葉類搬送装置を備えた建造物を提供することにある。
【課題を解決するための手段】
【０００６】
本発明に係る紙葉類搬送装置を備えた建造物は、搬送管内を空気流によって紙葉類を搬送する紙葉類搬送装置とスプリンクラーを備え、かつ隣接する部屋の境界部に防火壁を有する建造物であって、前記搬送管が前記防火壁を貫通して設けられ、前記搬送管の前記防火壁を貫通する部位の搬送管部が、該搬送管部の上流側および下流側の搬送管部よりも低位に設けられ、火災が発生し、前記スプリンクラーが作動した際、該スプリンクラーからの水を前記搬送管に導入して、前記低位の搬送管部に水を満たして該低位の搬送管部を閉塞する水導入部が設置されていることを特徴とする。
【０００７】
前記水導入部を、前記防火壁を挟む両側に設置し、それぞれの水導入部から前記搬送管に前記スプリンクラーからの水を導入可能に設けると好適である。
前記水導入部に前記スプリンクラーからの水を容易受けることができる受け容器を設けると好適である。
また、前記防火壁を貫通する前記搬送管が複数設けられた場合、前記水導入部を、前記受け容器にパイプを介して接続すると共に、前記複数の搬送管の各前記低位の搬送管部にそれぞれパイプを介して接続する横連絡管を設けて、各搬送管の低位部に容易かつすばやく水を満たすようにすると好適である。
【０００８】
建造物としてパチンコ店その他の遊戯施設とすることができる。
この場合、複数の遊戯台が列設された島を複数設け、各島に複数の紙幣投入機を設け、該紙幣投入機から投入された紙幣を各島ごとに設けられた前記搬送管を通じて、前記遊戯台が設けられた部屋とは異なる金庫室まで搬送して金庫に回収するようにした遊戯施設とすることができる。
また、前記搬送管を、前記各島に設けられた島搬送管と、該島搬送管から上方に延びる上昇管と、該上昇管に接続され、部屋の天井裏を伸びる天井管と、該天井管から前記金庫に導く導入管とで構成し、前記天井管を前記防火壁を貫通して設けるようにすることができる。
前記上昇管の下部に、該上昇管内に空気を送り込むブースター装置が接続すると好適である。
【発明の効果】
【０００９】
本発明によれば、不幸にも火災が発生した場合、スプリンクラーが作動して、スプリンクラーからの水が水導入部により搬送管の低位部に導入され、低位部が水で満たされ、閉塞される。これにより、防火壁の機能が損なわれず、隣接する部屋への火の回りを防止できる。
【図面の簡単な説明】
【００１０】
【図１】紙葉類搬送装置を備えた建造物（パチンコ店）の一例を示す一部切欠き正面図である。
【図２】パチンコ店の部分側面図である。
【図３】パチンコ店の部分平面図である。
【図４】紙幣搬送装置の部分説明図である。
【図５】防火壁を貫通する部位の搬送管部（低位部）の説明正面図である。
【図６】水導入部の説明図である。
【発明を実施するための形態】
【００１１】
以下本発明の好適な実施の形態を添付図面に基づいて詳細に説明する。
図１は紙葉類搬送装置を備えた建造物１０の一例を示す、一部切欠き正面図、図２はその側面図、図３はその平面図、図４は紙幣搬送装置の部分説明図である。
建造物１０の例として、遊戯施設のパチンコ店で説明する。
パチンコ店１０では、複数のパチンコ台１２を所要間隔をおいて横並びに列設したものを向い合せにした島１４を複数列設けるようにしている。ただし、部屋の壁際においては、向い合わせにしないものを一列だけ設けて島としている場合もある。
【００１２】
各パチンコ台１２間には、公知の機構の玉貸し機（図示せず）が配置される。玉貸し機は、紙幣投入口を有し、紙幣投入口から投入された紙幣を公知の紙幣識別機（図示せず）で真贋を判別し、真正の紙幣の場合には、所要数の玉を払い出すと共に、投入機１６を介して紙幣を紙幣搬送機構１８の搬送管２０内に送り込み、搬送管２０内を空気流によって搬送し、金庫室２１の金庫（回収装置）２２に回収するようにしている。紙幣搬送機構１８は、前記特許文献１〜３等に示される機構を採用することができる。なお、玉貸し機に投入された紙幣が偽物等の場合には、紙幣投入口に返却される。
【００１３】
搬送管２０は、パチンコ台１２を２列向い合わせにした島の部位においては、各列のパチンコ台１２の背面側に配設した管を端部のＵ字管２３で連結したＵ字状の搬送管に形成されている。そして、該Ｕ字状の搬送管２０の一端側には、搬送管２０内に送風して搬送管２０内に空気流を生じさせる送風機２４が接続されている。したがって、島内における各紙幣投入口に投入された紙幣は、共通のＵ字状の搬送管２０にて搬送される。
島内を伸びる搬送管２０の他端側には、部屋の天井裏へと延びる上昇管２６が接続され、上昇管２６には、天井裏内を伸びる天井管２７が接続されている。また、天井管２７の他端側には、金庫室２１の金庫２２に連絡する導入管２８が接続されている。
なお、上昇管２６、天井管２７、導入管２８も搬送管２０の一部をなすものである。
【００１４】
金庫２２は公知の機構によって紙幣を回収する。また、金庫２２には、導入管２８内の空気を吸引して、導入管２８内の空気流を加速する送風機２９を設けると好適である。送風機２９によって吸引された空気は、排気ダクト３０によって室内に戻されるようになっている。
なお、搬送管２０の適所には、搬送管２０内にさらに空気を送り込むブースター装置を接続し（図示せず）、搬送管２０内に所要強さの空気流を維持できるようにするとよい。特に、上昇管２６内においては、上方に搬送される紙幣にはそのまま下方への重力が作用することから、図１、図４に示すように、上昇管２６下部にブースター装置３１を接続して、上昇管２６内に、重力に抗する、所要強さの搬送力が生じる空気流を形成するようにするとよい。該ブースター装置３１は、コンプレッサー３２、ホース３３、上昇管２６内に位置するノズル（図示せず）等を有し、コンプレッサー３２からの圧縮空気を、ホース３３を介してノズルから上昇管２６内に噴出するようになっている（同様のブースター装置として、例えば特開２０１２−２１８８２７に示される装置がある）。
【００１５】
図２、図３に示すように、各島１４からは、島ごとに独立して設けられた搬送管２０から金庫室２１内のそれぞれの金庫２２に紙幣が送られ、回収されるようになっている。このように、各島１４ごとに独立した搬送管を設けることにより、構成が簡易となる。しかしながら、各島１４からの搬送管２０を共通の搬送管に合流させ、この共通の搬送管から共通の金庫に紙幣を搬送し、回収するようにしてもよい（図示せず）。
なお、３５は搬送コントローラであり、送風機２４、送風機２９、ブースター装置３１におけるコンプレッサー３２などの駆動を制御する。
【００１６】
図１〜図３は、１室のみのパチンコ店１０で説明したが、パチンコ店１０の面積が所要面積以上の大きさのものとなると、消防法にしたがい、店内を防火壁で仕切る必要がある。
図５は、室内を防火壁３６によってＡ室、Ｂ室に仕切った場合の説明図である。図６は、水導入部の説明図である。
本実施の形態では、紙幣搬送装置１８の複数の搬送管２０（天井管２７）が、当該防火壁３６を貫通するようにして設けられ、例えばＢ室内の各島１４から集めた紙幣を、Ａ室内を経由して、天井管２７から導入管２８を通じて金庫室２１のそれぞれの金庫２２に搬送、回収するようにしている。
【００１７】
Ａ室およびＢ室には、図示しない公知のスプリンクラー（図示せず）が設置されている。スプリンクラーは、火災が発生した際、温度や煙を感知して、天井から、自動的に、消火用の水を噴射する装置である。
図５に示すように、搬送管２０の天井管２７は、天井３７と屋根３８との間の天井裏を伸びている。そして、天井管２７の防火壁３６を貫通する部位の搬送管部が、該搬送管部の直近の上流側および下流側の搬送管部よりも、室内において高さが低くなるように、低位（低位部２７ａ）に設けられている。当該低位部２７ａを形成するには、直近の高位部２７ｂとの間に、曲折管２７ｃを介在させるようにするとよい。この曲折管２７ｃは、紙幣をスムーズに通過させるために、高位部２７ｂや低位部２７ａよりも径の大きなパイプを用いるようにするとよい。
【００１８】
Ａ室およびＢ室内には、それぞれスプリンクラーの噴出ノズル３９からの水を受ける受け容器４０が設けられている。受け容器４０は、スプリンクラーからの水を容易、かつすばやく受けられるように、受け口の広いロート状にすると好適である。
各受け容器４０の下方には、両端が閉塞された横連絡管４１が配設されている。
横連絡管４１は、パイプ４３によって受け容器４０に接続されていると共に、パイプ４４によって、各天井管２７の、防火壁３６を貫通する前記低位部２７ａに接続されている。
受け容器４０、横連絡管４１、パイプ４３、４４等によって水導入部が構成される。ただし、水導入部はこの構成のみに限定されるものではない。
【００１９】
本実施の形態に係る建造物（パチンコ店）１０は上記のように構成されている。
不幸にも火災が発生した場合、スプリンクラーが作動して、ノズル３９から噴出する水が、受け容器４０に受けられ、パイプ４３、横連絡管４１、パイプ４４を介して、複数の天井管２７の各低位部２７ａに導入され、該各低位部２７ａが直ちに水で満たされ、閉塞される。これにより、Ａ室からＢ室、あるいはＢ室からＡ室に火が回るのを防止できる。
【００２０】
天井管２７の各低位部２７ａは、その直近の天井管２７の部位よりも高さが低くなるように設けられるが、各低位部２７ａは、水導入部から導入される水が満杯となって閉塞されるだけの高さに設けられればよい。
搬送管（天井管２７）２０内は、空気流が生じているが、この空気流は、紙幣を搬送できるだけの強さでよいので、圧力はそれほど高くはなく、各低位部２７ａ内の水を押し出してしまうほどのものではない。
【符号の説明】
【００２１】
１０  建造物（パチンコ店）、１２  遊戯台（パチンコ台）、１４  島、１６  投入機、１８  紙幣搬送装置、２０  搬送管、２１  金庫室、２２  金庫、２３  Ｕ字管、２４  送風機、２６  上昇管、２７  天井管、２７ａ  低位部、２７ｂ  高位部、２７ｃ  曲折管、２８  導入管、２９  送風機、３１  ブースター装置、３２  コンプレッサー、３３  ホース、３５  搬送コントローラ、３６  防火壁、３７  天井、３８  屋根、３９  ノズル、４０  受け容器、４１  横連絡管、４３  パイプ、４４  パイプ
【図１】
2016223104.tif 000003
【図２】
2016223104.tif 000004
【図３】
2016223104.tif 000005
【図４】
2016223104.tif 000006
【図５】
2016223104.tif 000007
【図６】
2016223104.tif 000008